(57)【要約】【課題】ＡＰＲＳに対応した無線パケット通信装置において、パケットパスの設定を容易に行うことができるようにする。【解決手段】無線パケット通信装置において、所定のシステムに従った無線パケットのパケットパスを、それを構成する中継局のコールサインを入力して設定するための設定領域が定義された設定画面を表示する画面表示手段と、前記無線パケットの中継を行うことができる各中継局から受信した無線パケットに基づいて得られる各中継局についてのコールサインを含む所定の情報を、設定画面上の一部領域において表示する情報表示手段（ステップ５５）と、情報表示手段による所定情報の表示がなされている中継局のうちユーザが指示したもののコールサインを設定領域において挿入する挿入手段（ステップ５７）とを設ける。【選択図】図５
2008148251.tif 000002
【特許請求の範囲】
【請求項１】
所定のシステムに従った無線パケットのパケットパスを、それを構成する中継局のコールサインを入力して設定するための設定領域が定義された設定画面を表示する画面表示手段と、
前記無線パケットの中継を行うことができる各中継局から受信した無線パケットに基づいて得られる各中継局についてのコールサインを含む所定の情報を、前記設定画面上の一部領域において表示する情報表示手段と、
前記情報表示手段による所定情報の表示がなされている中継局のうちユーザが指示したもののコールサインを前記設定領域において挿入する挿入手段とを具備することを特徴とする無線パケット通信装置。
【請求項２】
前記挿入手段によるコールサインの挿入位置を、既に前記設定領域において入力済みであるコールサインとの関係において指定する指定手段を備え、
前記挿入手段は、前記コールサインの挿入に際し、隣接コールサインとの間の区切りを示す文字を必要に応じて挿入するものであることを特徴とする請求項１に記載の無線パケット通信装置。
【請求項３】
前記情報表示手段は、各中継局についての所定情報の表示を、所定数の中継局分の表示が可能な大きさの表示領域において行うものであり、前記所定情報の表示をユーザの指示に基づいて送る送り手段を備えることを特徴とする請求項１又は２に記載の無線パケット通信装置。
【請求項４】
前記情報表示手段による所定情報の表示を行う旨の指示を、前記設定画面が表示されている状態において受け入れる指示手段を有することを特徴とする請求項１〜３のいずれか１項に記載の無線パケット通信装置。
【請求項５】
前記コールサインを含む所定情報は、各中継局のコールサインの他、現時点における各中継局の方角、及び各中継局までの距離を含むことを特徴とする請求項１〜４のいずれか１項に記載の無線パケット通信装置。
【請求項６】
前記所定システムに従った無線パケットであって所定形式のものを受信したとき、その無線パケットに基づき、その無線パケットを送信した無線局に関する所定の情報を登録する登録手段を備え、
前記情報表示手段は、前記各中継局についての所定情報の表示を、前記登録手段により登録されている各無線局に関する情報のうちから中継局に関する情報のみを抽出し、これに基づいて行うものであることを特徴とする請求項１〜５のいずれか１項に記載の無線パケット通信装置。
【請求項７】
請求項１〜６のいずれかの装置における各手段としてコンピュータを機能させることを特徴とするプログラム。
【請求項８】
画面表示手段が、所定のシステムに従った無線パケットのパケットパスを、それを構成する中継局のコールサインを入力して設定するための設定領域が定義された設定画面を表示する画面表示工程と、
情報表示手段が、前記無線パケットの中継を行うことができる各中継局から受信した無線パケットに基づいて得られる各中継局についてのコールサインを含む所定の情報を、前記設定画面上の一部領域において表示する情報表示工程と、
挿入手段が、前記情報表示手段による所定情報の表示がなされている中継局のうちユーザが指示したもののコールサインを前記設定領域において挿入する挿入工程とを具備することを特徴とする無線パケット通信装置におけるパケットパス設定方法。
【発明の詳細な説明】
【技術分野】
【０００１】
所定のシステムに従った無線パケットのパケットパスの設定を行う機能を有する無線パケット通信装置、この装置に適したプログラム、及び無線パケット通信装置におけるパケットパス設定方法に関する。
【背景技術】
【０００２】
従来、固定局や移動局が、衛星通信等を含む無線通信やインターネットを介して位置座標付情報の交換を行うＡＰＲＳ（Ａｕｔｏｍａｔｉｃ  Ｐｏｓｉｔｉｏｎ  Ｒｅｐｏｒｔｉｎｇ  Ｓｙｓｔｅｍ；位置自動報知システム）が知られている。このシステムにおいては、世界中の移動局や固定局（以下、「ＡＰＲＳ局」という。）から発信された情報が、デジピータと呼ばれる無線中継局を経由し、さらにインターネットを介して米国のＡＰＲＳ−ＩＳサーバ（ＡＰＲＳインターネット・サービス・サーバ）に蓄積される。世界各地のＡＰＲＳ局は、蓄積された情報をインターネットやデジピータを介して取得することができる。
【０００３】
移動しながらモービル無線機でＡＰＲＳを利用する際に、移動先で中継局を介してＡＰＲＳ形式のパケット（以下、「ＡＰＲＳパケット」という。）を送信するには、ＡＰＲＳパケットを中継させるデジピータを探し、パケットパスを設定する必要が生じる場合がある。デジピータとは、無線パケットを受信して一旦取り込み、再度そのパケットを送信し直すリピータである。パケットパスは、ＡＰＲＳパケットが１又は２以上のデジピータをどのようにして経由して伝送されるべきかを特定する。近隣のデジピータを探すには、各デジピータから送られてくるＡＰＲＳ形式のパケットを受信し、そのパケットの内容を調べる必要がある。
【０００４】
従来のモービル無線機においては、ＡＰＲＳパケットを受信すると、そのパケットが、それに含まれるデータタイプ識別子（以下、「ＤＴＩ」という。）に基づいてマイクエンコーダ形式又はポジションデータ形式のデータであることを確認することができ、かつ新規のデータであることを確認することができた場合には、そのデータを一時的に表示する割込み表示を行うとともに、そのデータによりステーションリストの更新を行うようにしている。ステーションリストとは、受信した無線局を登録したリストである。ステーションリストには、気象局、移動局、オブジェクト局、デジピータその他の無線局が混在している。したがってユーザは、パケットパスとして利用するデジピータを、ステーションリストに基づいて探すことになる。
【０００５】
ただし、ステーションリスト中の各無線局に関する情報を表示するステーションリスト画面においては、無線局の種類に関する情報は表示されない。ステーションリスト中の各無線局がデジピータであるかどうかを判別するためには、各無線局についての詳細な情報を個々に表示する詳細画面を表示させ、表示内容を確認する必要がある。さらに、自局からの中継に適しているかどうかを判別するためには、詳細画面において表示される自局からの距離及び方角を確認する必要がある。このようにして、適切なデジピータを見つけると、ユーザは、ステーションリスト画面を終了し、パケットパスの設定を行うための設定画面に移行し、そのデジピータのコールサインを設定領域に手入力することによってそのデジピータをパケットパスの一部として設定することができる。
【０００６】
図７は上述従来のモービル無線機におけるパケットを受信したときの処理を示すフローチャートである。この無線機は、パケットを受信すると、これをトリガとして同図の処理を開始する。すなわち、まず、ステップＳ１において、受信パケットがＡＰＲＳパケットであるか否かを判定する。ＡＰＲＳパケットではないと判定した場合には、受信パケットを破棄し、図７の処理を終了する。ＡＰＲＳパケットであると判定した場合には、ステップＳ２〜Ｓ７において、受信パケットがマイクエンコーダ形式、ポジションデータ形式、メッセージ形式、ブリティン形式、又はその他の形式のうちのいずれの形式のパケットであるかを、受信パケットに含まれるＤＴＩに基づいて判定する。
【０００７】
これらのデータ形式のパケットのうち、位置データ及び送信局の情報を含むのは、マイクエンコーダ形式及びポジションデータ形式のものである。マイクエンコーダ形式のパケットはＤＴＩが「’」であり、ポジションデータ形式のものはＤＴＩが「！」、「＃」、「＠」、又は「／」となっている。受信パケットがマイクエンコーダ形式又はポジションデータ形式のデータであると判定した場合には（ステップＳ３及びＳ４）、ステップＳ８において、そのデータが新規のデータであるか否かの判定を行う。新規のデータであると判定した場合には、ステップＳ９において、そのデータについて割込み表示を行い、ステップＳ１１へ進む。
【０００８】
ステップＳ８において新規のデータではないと判定した場合、すなわちそのデータが既にステーションリストにおいて登録済みの無線局と同一の無線局からの同一内容のデータである場合には、その旨を示す重複コールサイン表示（ｄＰ  Ｃａｌｌｓｉｇｎ表示）を行い、ステップＳ１１へ進む。重複コールサイン表示としては、たとえば、「ｄＰ」の表示に、その重複データを送信した無線局のコールサインの表示を加えたものが該当する。ステップＳ１１では、受信パケットに基づき、ステーションリストの更新を行う。すなわち、受信パケットが新たな無線局からのデータであれば、受信パケットから得られるその無線局に関する所定の情報を含むレコードを追加する。既に登録済みの無線局からのデータであれば、その無線局のレコードを更新する。
【０００９】
一方、受信パケットが他の形式のデータであると判定した場合には（ステップＳ５〜Ｓ７）、それぞれのデータ形式に応じた処理を行う。たとえば、メッセージ形式のデータであると判定した場合には（ステップＳ５）、新規データであれば割込み表示を行い、メッセージリストに登録する(ステップＳ１２〜Ｓ１４)。新規データでなければ重複コールサイン表示を行う（ステップＳ１５）。そして、自局宛メッセージである場合には受信した旨の通知を送信局に返信し（ステップＳ１６及びＳ１７）、図７の処理を終了する。受信パケットがブリティン形式のデータであると判定した場合には（ステップＳ６）、新規データであれば割込み表示を行ってからメッセージリストに登録し(ステップＳ１８〜Ｓ２０)、図７の処理を終了する。
【００１０】
ステップＳ１１においてデータ更新がなされるステーションリストの内容は、図８の周波数表示画面においてリストキー８１を押下することによって表示させることができる。図９はこの表示を行っているステーションリスト画面を示す。上述のように、ステーションリストには、気象局、移動局、オブジェクト局、デジピータ局その他の各種無線局に関するデータが混在している。また、ステーションリスト画面では、登録されている各局のコールサイン、受信時刻、及び状況のみが表示され、無線局の種類を示す情報は表示されないので、ステーションリスト画面では、リスト中の各無線局の種類を確認することはできない。
【００１１】
各無線局の種類を確認するには、上下キー９１又は９２によりカーソルを移動させて確認したい無線局を選択し、詳細キー（ＯＫキー）９３を押下することにより、図１０に示す詳細表示画面を表示させる必要がある。詳細表示画面には、選択した無線局についてのコールサイン１０１、受信時刻１０２、無線局の状況１０３、無線局の位置を示す緯度及び経度１０４、自局からの方角を示すアイコン１０５、自局からの距離１０６、グリッドスクウェア位置１０７、種類を示すアイコン１０８などが表示される。同図においては、アイコン１０８として、デジピータであることを示すアイコン「★」が表示されている。ユーザはこれらの情報を参照し、自局からの距離や方角を確認しながら、自局に適したデジピータを探すことになる。
【００１２】
ユーザは、適切なデジピータを見つけることに成功すると、そのデジピータのコールサインを覚えておき、図１０の詳細表示画面から図９のステーションリスト画面を経て、図１１のパケットパスの設定画面に移行し、覚えておいたコールサインを、パケットパス設定領域１１１において手入力することにより、パケットパスの設定を行うことができる。複数のデジピータをパケットパスとして設定する場合には、設定する毎に詳細表示画面及び設定画面間を行ったり来たりして１つずつ設定することができる。あるいは、所望の複数のデジピータのコールサインを、それぞれの詳細表示画面を表示させたときにメモしておき、設定画面において一度に手入力するようにしてもよい。
【００１３】
なお、ＡＰＲＳのような位置座標付情報の交換を行うシステムとしては他に、ＧＰＳやセンサからの信号に基づいて自車位置を取得し、取得した自車位置を必要な情報とともに他車に対して無線送信することが可能なナビゲーション装置を用いたシステムが知られている（たとえば特許文献１参照）。このシステムでは、他車の無線局からの受信パケットに基づいて無線通信が可能な無線局を定期的にサーチして記憶しておき、通信時には記憶してある通信可能な無線局のうちから通信相手を選択するようにしている。
【００１４】
【特許文献１】特開平１０−６２１９０号公報
【発明の開示】
【発明が解決しようとする課題】
【００１５】
しかしながら、上述従来のＡＰＲＳ対応のモービル無線機によれば、ステーションリスト画面においては、登録されている無線局の種別を表示するスペースがないため、リスト中の無線局の種類を確認することはできない。無線局の種類を確認するには、ステーションリスト画面において詳細キーを押下し、詳細表示画面を表示させる必要がある。したがって、所望のデジピータの探索には手間と時間を要する。また、ステーションリストにはデジピータ以外の気象局、移動局、オブジェクト局その他の複数の無線局が混在しているので、その中からデジピータを判別しながら所望のデジピータを探すのは容易ではない。
【００１６】
また、所望のデジピータを探し出すことに成功したとき、それをパケットパスに設定するためには、そのデジピータのコールサインを覚えておき、パケットパスの設定画面に移行してから、覚えておいたコールサインを手入力する必要があるので、煩雑であり、誤入力のおそれもある。また、複数のデジピータを設定する場合には、詳細表示画面及び設定画面間を行ったり来たりしなければならなかったり、あるいは各デジピータの詳細表示画面におけるコールサインを覚え又はメモしてから設定画面に移行し、まとめて手入力する必要があったりするので、手間と時間を要する。
【００１７】
本発明の目的は、このような従来技術の問題点に鑑み、ＡＰＲＳ対応無線機において、パケットパスの設定を容易に行うことができるようにすることにある。
【課題を解決するための手段】
【００１８】
この目的を達成するため、第１の発明に係る無線パケット通信装置は、所定のシステムに従った無線パケットのパケットパスを、それを構成する中継局のコールサインを入力して設定するための設定領域が定義された設定画面を表示する画面表示手段と、前記無線パケットの中継を行うことができる各中継局から受信した無線パケットに基づいて得られる各中継局についてのコールサインを含む所定の情報を、前記設定画面上の一部領域において表示する情報表示手段と、前記情報表示手段による所定情報の表示がなされている中継局のうちユーザが指示したもののコールサインを前記設定領域において挿入する挿入手段とを具備することを特徴とする。
【００１９】
ここで、無線パケット通信装置としては、たとえばパケット無線通信機能を備えたモービル無線機が該当する。所定のシステムとしては、たとえばＡＰＲＳが該当する。中継局としては、たとえばＡＰＲＳにおけるデジピータが該当する。パケットパスは１又は２以上のコールサインによって構成される。
【００２０】
この構成において、ユーザが、設定画面において、各中継局から受信した無線パケットに基づいて得られる各中継局についてのコールサインを含む所定の情報の表示を参照し、適当な中継局を指示すると、挿入手段は、指示された中継局のコールサインを設定領域において挿入する。これにより、所定のシステムに従った無線パケットのパケットパスが設定される。したがって、ユーザは、設定画面上において、他の画面に移行する必要なく、各中継局のついての所定情報に基づいて適否を判断し、パケットパスとして適当な中継局を指示することができる。また、適当な中継局を指示するだけで、手入力する必要なく、そのコールサインを設定領域に挿入することができる。
【００２１】
第２の発明に係る無線パケット通信装置は、第１発明において、前記挿入手段によるコールサインの挿入位置を、既に前記設定領域において入力済みであるコールサインとの関係において指定する指定手段を備え、前記挿入手段は、前記コールサインの挿入に際し、隣接コールサインとの区切りを示す文字を必要に応じて挿入するものであることを特徴とする。指定手段としては、たとえば、カーソル位置により挿入位置を指定するものが該当する。区切りを示す文字としては、たとえばカンマ「，」が該当する。
【００２２】
第３の発明に係る無線パケット通信装置は、第１又は第２発明において、前記情報表示手段は、各中継局についての所定情報の表示を、所定数の中継局分の表示が可能な大きさの表示領域において行うものであり、前記所定情報の表示をユーザの指示に基づいて送る送り手段を備えることを特徴とする。表示領域の大きさは、装置の表示画面の大きさに応じて決めることができるが、送り手段を備えているので、１局分の表示が可能な大きさで十分である。送り手段としては、たとえばユーザによってエンコーダが１ステップ回転される毎に、所定情報の表示を１局分ずつ送ってゆくものが該当する。
【００２３】
第４の発明に係る無線パケット通信装置は、第１〜第３のいずれかの発明において、前記情報表示手段による所定情報の表示を行う旨の指示を、前記設定画面が表示されている状態において受け入れる指示手段を有することを特徴とする。
【００２４】
第５の発明に係る無線パケット通信装置は、第１〜第４のいずれかの発明において、前記コールサインを含む所定情報は、各中継局のコールサインの他、現時点における各中継局の方角、及び各中継局までの距離を含むことを特徴とする。
【００２５】
第６の発明に係る無線パケット通信装置は、第１〜第５のいずれかの発明において、前記所定システムに従った無線パケットであって所定形式のものを受信したとき、その無線パケットに基づき、その無線パケットを送信した無線局に関する所定の情報を登録する登録手段を備え、前記情報表示手段は、前記各中継局についての所定情報の表示を、前記登録手段により登録されている各無線局に関する情報のうちから中継局に関する情報のみを抽出し、これに基づいて行うものであることを特徴とする。登録手段としては、たとえば上述図７の処理において更新されるステーションリストを作成する手段が該当する。
【００２６】
第６の発明に係るプログラムは、第１〜第６のいずれかの発明に係る装置における各手段としてコンピュータを機能させることを特徴とする。
【００２７】
第８の発明に係る無線パケット通信装置におけるパケットパス設定方法は、画面表示手段が、所定のシステムに従った無線パケットのパケットパスを、それを構成する中継局のコールサインを挿入して設定するための設定領域が定義された設定画面を表示する画面表示工程と、情報表示手段が、前記無線パケットの中継を行うことができる各中継局から受信した無線パケットに基づいて得られる各中継局についてのコールサインを含む所定の情報を、前記設定画面上の一部領域において表示する情報表示工程と、選択手段が、前記情報表示手段による所定情報の表示がなされている中継局のうちユーザが指示したもののコールサインを前記設定領域において挿入する挿入工程とを具備することを特徴とする。
【発明の効果】
【００２８】
本発明によれば、各中継局についてのコールサインを含む所定の情報を、設定画面上の一部領域において表示し、この表示に基づいて指示された中継局のコールサインを、設定画面上の設定領域に挿入するようにしたため、ユーザは、設定画面上において、他の画面に移行する必要なく、各中継局のついての所定情報に基づいて容易に適否を判断し、パケットパスとして適当な中継局を指示することができる。また、適当な中継局を指示するだけで、手入力の必要なく、そのコールサインを設定領域に挿入することができる。
【００２９】
また、挿入手段によるコールサインの挿入位置を、既に設定領域において入力済みであるコールサインとの関係において指定することができるようにするとともに、コールサインの挿入に際し、必要な隣接コールサインとの区切りを示す文字を併せて挿入するようにしたため、既にコールサインが挿入されている場合でも、容易にコールサインを追加挿入することができる。
【００３０】
また、各中継局についての所定情報の表示を送る送り手段を設けたため、所定情報の表示領域が小さい場合でも、順次各中継局の所定情報を確認してゆくことができる。
【００３１】
また、情報表示手段による所定情報の表示を行う旨の指示を、設定画面が表示されている状態において受け入れるようにしたため、ユーザは設定画面を表示させている状態において、各中継局の所定情報を容易に表示させることができる。
【００３２】
また、コールサインを含む所定情報には、各中継局のコールサインの他、現時点における各中継局の方角、及び各中継局までの距離を含めるようにしたため、ユーザはこの所定情報に基づき、各中継局についてのパケットパスとしての適否を容易に判断することができる。
【００３３】
また、各中継局についての所定情報の表示を、登録手段により登録されている各無線局に関する情報のうちから中継局に関する情報のみを抽出し、これに基づいて行うようにしたため、効率良く、適当な中継局を探すことができる。
【発明を実施するための最良の形態】
【００３４】
図１は、本発明の一実施形態に係るモービル無線通信装置の構成を示すブロック図である。この装置は同図に示すように、送受信機能を備えたラジオユニット１、及びラジオユニット１に接続されたパネルユニット２を備える。この装置は、音声による交信機能及びパケットによるデジタル通信機能を備え、ＡＰＲＳにも対応している。
【００３５】
ラジオユニット１は、アナログ信号及び無線信号相互間での変換を行う送受信部１１、ユニット各部を制御するマイクロコントロールユニット（以下、「マイコン」という。）１２、並びにマイコン１２に接続されたＥＥＰＲＯＭ１３を備える。送受信部１１はマイクから供給される音声信号やパネルユニット２から供給されるデジタル変調されたアナログ信号を無線波に変換してアンテナから送信するとともに、アンテナを介して受信した無線波を音声信号に変換して外部のスピーカやパネルユニット２に供給する。
【００３６】
パネルユニット２はユニット各部を制御するメインマイコン２１、ターミナルノードコントローラ（ＴＮＣ）として機能するＴＮＣマイコン２２、ＴＮＣマイコン２２及びラジオユニット１間に設けられたモデム２３、メインマイコン２１及びユーザ間のインタフェースとして機能するＬＣＤ表示部２４及び操作部２５、メインマイコン２１に接続されたＥＥＰＲＯＭ２６、並びにメインマイコン２１に対して現在時刻を供給するＲＴＣ（リアルタイムクロック）２７を備える。
【００３７】
表示部２４は２３５×６５ドットのフルドットマトリクス液晶表示装置を有する。メインマイコン２１は所定のプログラムに従い、ＡＰＲＳによりサポートされるデータ形式に従ったＡＰＲＳデータを取り扱う。操作部２５は各種操作キー、クリックエンコーダ、アナログボリューム等を備える。
【００３８】
ＴＮＣマイコン２２はメインマイコン２１や外部のデータ供給源と、モデム２３との間に位置し、パケットの構成、誤り検出、再送信の制御等を行う。モデム２３はＴＮＣマイコン２２からのデジタル信号をデジタル変調してラジオユニット１に供給するとともに、ラジオユニット１からのアナログ信号をデジタル信号に復調してＴＮＣマイコン２２に供給する。メインマイコン２１はＴＮＣマイコン２２を介してＡＰＲＳパケットの送受信を行うことができる。
【００３９】
送信するＡＰＲＳパケットのヘッダには、設定されたパケットパスに従って伝送されるにように、パケットパスを構成する１又は２以上のデジピータのコールサインが含められる。パケットパスは、ＡＰＲＳパケットを１又は複数のデジピータをどのような経路で経由させて伝送させるかを規定するものである。パケットパスは、経由させるデジピータのコールサインのテキストデータにより構成される。複数のデジピータを経由させる場合には、各デジピータのコールサインをカンマ「，」で区切ったテキストデータとして構成される。このカンマで区切られたコールサインの配列順に従った経路で、ＡＰＲＳパケットの中継が行われることになる。
【００４０】
図２は、図１の装置のＬＣＤ表示部２４上に表示されるパケットパス設定画面を示す。この画面は、上述のＡＰＲＳパケットの伝送に使用するパケットパスの設定を受け入れるための画面である。図２中の３１は「ＰＡＴＨ：」の右側に設けられたパケットパス設定領域である。パケットパスの設定は、この領域において、パケットパスを特定するコールサインが入力されることによって行われる。
【００４１】
図２中の３２はデジピータリスト中の各デジピータに関する情報を表示させるためのデジキーである。デジピータリストは、上述図７のステップＳ１１で更新されるステーションリストから、デジピータに関する情報のみを抽出して作成したリストである。デジピータリストにおける各レコードの項目としては、当該デジピータのコールサイン、自局からの方角、及び自局からの距離が含まれる。図２のパケットパス設定画面を表示している状態でデジキー３２が押下されると、メインマイコン２１はデジピータリスト中の１番目のレコードの内容を表示する。
【００４２】
図３はこの様子を示す。図中の３３は「ＬＩＳＴ：」の右側に設けられたデジピータリスト表示領域である。この領域において、デジピータリスト中の各レコードの内容が、デジピータ毎に１局分ずつ表示される。同図では、デジピータリストにおける最初のデジピータについてのコールサインとして「ＪＡ１ＹＫＸ−１５」、方角として「ＮＥ」（北東）、及び距離として「９９９９  ｍｉ」（９９９９マイル）が表示されている。なお、図３中の３５は表示中の画面を終了するためのエスケープキーであり、３６は画面を１つ前の画面に戻すためのバックキーである。
【００４３】
この状態において、操作部２５のエンコーダが回されると、メインマイコン２１は、デジピータリスト中の各デジピータについて、１ステップ回転毎に１局ずつ、上述の情報を順次リスト順に表示してゆく。デジピータリスト中の最後のデジピータの情報が表示されている場合にさらにエンコーダが回転されると、最初のデジピータについての表示に戻って、同様の表示を繰り返す。エンコーダが逆方向に回された場合には、逆の順番で表示する。
【００４４】
したがってユーザは、エンコーダの操作により、各デジピータについての情報を１局ずつ表示させながら、利用したいデジピータを探し出して表示させることができる。所望のデジピータの情報を表示させることに成功したユーザが、その表示状態において、セットキー（又はＯＫキー）３４を押下すると、メインマイコン２１は、デジピータリスト表示領域３３において表示されているデジピータのコールサインを、パケットパス設定領域３１にコピーするとともに、デジピータリスト表示領域３３における表示を消去する。これにより、そのコールサインがパケットパスの一部として設定される。
【００４５】
図４はこのときの表示状態を示す。同図では、パケットパス設定領域３１において、パケットパスとして設定されたデジピータのコールサイン「ＪＡ１ＹＫＸ−１５」が表示されている。なお、パケットパスとして、複数のデジピータを設定することができる。図中の３７は今回パケットパス部分として設定したコールサインをクリアするためのクリアキーであり、３８はパケットパス全体をクリアするためのオールクリアキーである。
【００４６】
図５は上述図２〜図４で示したパケットパス設定処理を具体的に示すフローチャートである。このパケットパス設定処理は、図２や図４のパケットパス設定画面が表示された状態において、デジキー３２が押下されたことに応じて開始される。パケットパス設定処理を開始すると、メインマイコン２１は、まずステップ５１において、ステーションリスト中にレコードが存在するか否かを判定する。レコードが１件も存在しないと判定した場合には、図５の処理を直ちに終了し、エラーを示すビープ音を出力する。
【００４７】
ステップ５１においてレコードが存在すると判定した場合には、ステップ５２においてステーションリストからデジピータについてのレコードを抽出する。次に、ステップ５３において、ステーションリスト中にデジピータのレコードが存在するか否か、すなわちデジピータのレコードを抽出できたかどうかを判定する。デジピータのレコードが存在しないと判定した場合には、直ちに図５の処理を終了し、エラーを示すビープ音を出力する。
【００４８】
ステップ５３においてデジピータのレコードが存在すると判定した場合には、ステップ５４において、抽出した各デジピータのレコードに基づき、デジピータのみをリストアップしたデジピータリストを作成する。デジピータリストの各レコードは、各デジピータのコールサイン、方角、及び距離の項目により構成される。方角、及び距離の項目については、抽出した各デジピータのレコードに含まれる緯度及び経度の情報と、本モバイル無線通信装置の現在位置とに基づいて再計算を行い、得られた値を格納する。現在位置は、装置に接続されたＧＰＳレシーバからの信号に基づいて取得することができる。
【００４９】
次に、ステップ５５において、デジピータリストの表示を行う。すなわち図３に示すように、まず、デジピータリストの最初のレコードの内容をデジピータリスト表示領域３３に表示する。そして、エンコーダが回されると、その１ステップ回転毎に、順次次の又は前のレコードについての同様の表示を繰り返す。
【００５０】
この間、いずれかのデジピータのレコードの表示が行われているときに、セットキー３４の押下によってそのデジピータの選択がなされたか否かをステップ５６において判定する。デジピータの選択がなされなかったと判定した場合には、直ちに図５の処理を終了する。デジピータの選択がなされたと判定した場合には、ステップ５７へ進み、選択されたデジピータのレコード中のコールサインをコピーし、パケットパス設定領域３１に挿入して、図５の処理を終了する。これにより、１つのコールサインについてのパケットパス部分としての設定が完了したことになる。この設定を繰り返すことにより、複数のコールサインで構成されたパケットパスを設定することができる。
【００５１】
なお、ステップ５７においてコールサインをパケットパス設定領域３１にコピーする際に、既に入力済みのコールサインがパケットパス設定領域３１に存在する場合には、次に示すアルゴリズムに従って、入力済みのコールサインの前や後、あるいは各コールサインの間に、コピーするコールサインが挿入される。
【００５２】
図６はこのアルゴリズムに従ったステップ５７におけるコールサインの挿入処理を示すフローチャートである。この処理は、図５のステップ５６において、セットキー３４の押下によりデジピータの選択が行われたと判定したことに応じて開始される。処理の開始時には、パケットパス設定領域３１において何も入力されていない場合には、パケットパス設定領域３１の先頭（左端）にカーソルが位置している。パケットパス設定領域３１において既に文字列が入力されている場合には、初期状態として、その文字列における最後の文字の１桁後にカーソルが位置している。
【００５３】
このカーソル位置は、ユーザの指示に応じて、随時、メインマイコン２１により変更される。したがって、ユーザは、パケットパス設定領域３１において既に１又は２以上のコールサインが入力済みである場合には、カーソルを移動させ、任意のカーソル位置に、新たなコールサインが挿入されるようにすることができる。パケットパスを構成する各コールサイン間の区切りとして、カンマ「，」が使用される。
【００５４】
図６の処理を開始すると、メインマイコン２１は、まずステップ６１において、カーソル位置がパケットパス設定領域３１の先頭（左端）であるか否かの判定を行う。先頭ではないと判定した場合にはステップ６２において、カンマ「，」をカーソル位置に挿入し、カーソル位置を次の桁に移動させ、ステップ６３へ進む。カーソル位置がパケットパス設定領域３１の先頭であると判定した場合にはそのままステップ６３へ進む。
【００５５】
ステップ６３では、デジピータリスト表示領域３３において表示中のレコードにおけるコールサインを、パケットパス設定領域３１上のカーソル位置に挿入して表示する。カーソルは、挿入したコールサインの文字列における最終桁の次の桁に移動させる。次に、ステップ６４及び６５において、カーソル位置の文字がヌル（ＮＵＬＬ）又はカンマであるかどうかを判定する。ヌル又はカンマであると判定した場合には、そのまま図６の処理を終了する。ヌルでもカンマでもないと判定した場合には、ステップ６６に進み、カーソル位置にカンマを挿入して図６の処理を終了する。
【００５６】
なお、この後、再度デジキー３２が押下されると、再度図５の処理を開始する。したがって、ユーザはデジキー３２を再度押下することにより、連続して複数のパケットパスの設定を行うことができる。その際、カーソル位置がユーザによって変更されない場合、カーソルは、最後に挿入されたコールサインを表す文字列の最後の桁の１桁後に位置している。この状態でセットキー３４が押下されると、カンマが挿入され（ステップ６２）、その次の桁において新たなコールサインが挿入される。
【００５７】
一方、ユーザによりカーソル位置が先頭に変更されてからセットキー３４が押下された場合には、図６のステップ６６においてカンマが、新たに挿入されたコールサインの次に挿入される。あるいは、カーソル位置が各コールサインの間のカンマ位置に変更されてからセットキー３４が押下されたとすれば、ステップ６２において、新たに挿入されるコールサインの前にカンマが挿入される。このようにして、コールサインが追加的に挿入される場合には、図６の処理に従い、区切りを示すカンマが自動的に挿入される。
【００５８】
なお、パケットパスの設定結果は、パケットパス設定領域３１におけるコールサインの表示と同じ、カンマで区切られたテキストデータとして記憶される。記憶されたパケットパスに基づき、送信する各ＡＰＲＳパケットにおいてパケットパスが指定される。送信されたパケットパスは、指定されたパケットパス中のコールサインの順番で、順次対応するデジピータを経由して伝送されることになる。
【００５９】
モバイル無線通信装置を用いた移動を伴うＡＰＲＳの運用に際し、移動先でＡＰＲＳパケットによる通信を行うためには、移動先からの中継に適したデジピータを探してパケットパスの設定を行うことが必要となる場合がある。中継に適したデジピータを探すには、各デジピータから受信したＡＰＲＳデータに基づき、各デジピータの方角及びそこまでの距離を調べる必要がある。この点において、本実施形態によれば、図２〜図４に示すように、パケットパス設定画面において、ステーションリストからデジピータのデータのみを抽出して作成したデジピータリストに基づき、エンコーダにより、各デジピータの情報を１局ずつ表示させて方角及び距離を確認しながらパケットパスの設定を行うことができるようにしたため、デジピータの調査を容易に行うことができる。
【００６０】
その際、１局ずつ表示されるデジピータの情報として、デジピータの選択に必要なコールサイン、並びに自局からの方角及び距離を含む集約された情報を、パケットパス設定画面において確認することができるようにしたため、デジピータを選択するのに不要な情報も含まれている詳細表示画面へ移行し、選択に必要な項目を探して見ながらデジピータの適否を判断するようにしていた従来例に比べ、容易に各デジピータの適否を判断することができる。
【００６１】
また、デジピータリストの表示中に、適当なデジピータについてのデータが表示された場合には、セットキーを押下するだけで自動的にそのデジピータのコールサインをパケットパス設定領域にコピーするようにしたので、コールサインの手入力や、コールサインの暗記やメモを不要にすることができる。また、パケットパスの設定はパケットパス設定画面のみで、画面を切り替える必要なく行うことができるので、画面を切り替える手間を省くことができる。
【００６２】
また、複数のデジピータによるパケットパスを設定する場合にも、既に入力済みのコールサインと新しいコールサインとの間に自動的に区切りを示すカンマが挿入されるようにしたため、さらに利便性を向上させることができる。
【図面の簡単な説明】
【００６３】
【図１】本発明の一実施形態に係るモービル無線通信装置の構成を示すブロック図である。
【図２】図１の装置のＬＣＤ表示部上において表示されるパケットパス設定画面を示す図である。
【図３】図１の装置においてデジピータリスト中の１番目のデジピータに関する詳細情報が表示されている様子を示す図である。
【図４】図１の装置においてデジピータのコールサインをパケットパス設定領域にコピーして挿入したときの様子を示す図である。
【図５】図１の装置におけるパケットパス設定処理を示すフローチャートである。
【図６】図５の処理におけるコールサインの挿入処理を示すフローチャートである。
【図７】従来のモービル無線機におけるパケットデータを受信したときの処理を示すフローチャートである。
【図８】図７の無線機における周波数表示画面を示す図である。
【図９】図７の無線機におけるステーションリスト画面を示す図である。
【図１０】図７の無線機におけるステーションリストの詳細表示画面を示す図である。
【図１１】図７の無線機におけるパケットパス設定画面を示す図である。
【符号の説明】
【００６４】
１：ラジオユニット、２：パネルユニット、１１：送受信部、１２：マイコン、１３：ＥＥＰＲＯＭ、２１：メインマイコン、２２：ＴＮＣマイコン、２３：モデム、２４：ＬＣＤ表示部、２５：操作部、２６：ＥＥＰＲＯＭ、２７：リアルタイムクロック、３１：パケットパス設定領域、３２：デジキー、３３：デジピータリスト表示領域、３４：セットキー、３５：エスケープキー、３６：バックキー、３７：クリアキー、３８：オールクリアキー、８１：リストキー、９１：上キー、９２：下キー、９３：詳細キー（ＯＫキー）、１０１：コールサイン、１０２：受信時刻、１０３：無線局の状況、１０４：緯度及び経度、１０５：方角を示すアイコン、１０６：距離、１０７：グリッドスクウェア位置、１０８：種類を示すアイコン、１１１：パケットパス設定領域。
【図１】
2008148251.tif 000003
【図２】
2008148251.tif 000004
【図３】
2008148251.tif 000005
【図４】
2008148251.tif 000006
【図５】
2008148251.tif 000007
【図６】
2008148251.tif 000008
【図７】
2008148251.tif 000009
【図８】
2008148251.tif 000010
【図９】
2008148251.tif 000011
【図１０】
2008148251.tif 000012
【図１１】
2008148251.tif 000013